(57)【要約】【課題】安定して旋回することができる自動車を提案する。【解決手段】車体本体３０を左右方向に傾斜させるリーン装置５０と、ピッチ軸を回転軸として回転するフライホイールを有するジャイロをジンバルモータによりヨー軸周りに回転させることによりロール軸周りに作用するジャイロモーメントを発生させるジャイロ装置６０と、ステアバイワイヤ機構を有する操舵装置４０と、を備える。旋回内側に車体本体３０が傾斜するようリーン装置５０を駆動したり、車両の横転可能性があるときに横転を抑制する方向に作用するジャイロモーメントが発生するようジャイロ装置６０を駆動したり、車両の左右方向の傾斜に対してヨー軸周りに作用するジャイロモーメントによるオーバーステアやアンダーステアの傾向を打ち消す方向に操舵装置４０を駆動する。これにより、より安定して旋回することができると共に車両の横転を抑制することができる。【選択図】図１
2014069673.tif 000002
【特許請求の範囲】
【請求項１】
少なくとも一つの操舵輪を含む３輪以上の車輪を有し、自立して停車可能な自動車であって、
車体を左右方向に傾斜可能なリーン機構と該リーン機構を駆動するためのリーン駆動手段とを有するリーン装置と、
フライホイールと該フライホイールを車体を水平に左右方向に貫くピッチ軸で回転駆動する第１回転駆動手段とを有するジャイロと、車体を垂直方向に貫くヨー軸で前記ジャイロを回転駆動する第２回転駆動手段と、を有するジャイロ装置と、
操舵角に対するトウ角を調整可能な操舵装置と、
を備える自動車。
【請求項２】
請求項１記載の自動車であって、
前記操舵装置は、前記ジャイロ装置による車両の旋回方向と同方向に車体をヨー軸の周りに回転させるモーメントが大きいほど単位操舵角当たりのトウ角の変化量が小さくなる傾向に操舵角に対するトウ角を調整する装置である、
自動車。
【請求項３】
請求項２記載の自動車であって、
前記操舵装置は、前記第１回転駆動手段により車両が前進するときの車輪の回転方向と同方向に前記フライホイールを回転しているときには、操舵角が大きいほど単位操舵角当たりのトウ角の変化量が小さくなる傾向に操舵角に対するトウ角を調整する装置である、
自動車。
【請求項４】
請求項２または３記載の自動車であって、
前記操舵装置は、前記第１回転駆動手段により車両が前進するときの車輪の回転方向と同方向に前記フライホイールを回転しているときには、操舵角が増加するときの変化率が大きいほど単位操舵角当たりのトウ角の変化量が小さくなる傾向に操舵角に対するトウ角を調整する装置である、
自動車。
【請求項５】
請求項２ないし４のうちのいずれか１つの請求項に記載の自動車であって、
前記操舵装置は、前記第１回転駆動手段により車両が前進するときの車輪の回転方向と同方向に前記フライホイールを回転しているときには、前記リーン機構による傾斜角が大きいほど単位操舵角当たりのトウ角の変化量が小さくなる傾向に操舵角に対するトウ角を調整する装置である、
自動車。
【請求項６】
請求項２ないし５のうちのいずれか１つの請求項に記載の自動車であって、
前記操舵装置は、前記第１回転駆動手段により車両が前進するときの車輪の回転方向と同方向に前記フライホイールを回転しているときには、前記リーン機構による傾斜角が増加するときの変化率が大きいほど単位操舵角当たりのトウ角の変化量が小さくなる傾向に操舵角に対するトウ角を調整する装置である、
自動車。
【請求項７】
請求項２ないし６のうちのいずれか１つの請求項に記載の自動車であって、
前記操舵装置は、前記第１回転駆動手段により車両が前進するときの車輪の回転方向と同方向に前記フライホイールを回転しているときには、前記フライホイールの回転数が大きいほど単位操舵角当たりのトウ角の変化量が小さくなる傾向に操舵角に対するトウ角を調整する装置である、
自動車。
【請求項８】
請求項２ないし７のうちのいずれか１つの請求項に記載の自動車であって、
前記操舵装置は、前記第１回転駆動手段により車両が前進するときの車輪の回転方向と同方向に前記フライホイールを回転しているときには、車速が大きいほど単位操舵角当たりのトウ角の変化量が小さくなる傾向に操舵角に対するトウ角を調整する装置である、
自動車。
【請求項９】
請求項２記載の自動車であって、
前記操舵装置は、前記第１回転駆動手段により車両が前進するときの車輪の回転方向と逆方向に前記フライホイールを回転しているときには、操舵角が大きいほど単位操舵角当たりのトウ角の変化量が大きくなる傾向に操舵角に対するトウ角を調整する装置である、
自動車。
【請求項１０】
請求項２または９記載の自動車であって、
前記操舵装置は、前記第１回転駆動手段により車両が前進するときの車輪の回転方向と逆方向に前記フライホイールを回転しているときには、操舵角が増加するときの変化率が大きいほど単位操舵角当たりのトウ角の変化量が大きくなる傾向に操舵角に対するトウ角を調整する装置である、
自動車。
【請求項１１】
請求項２，９，１０のうちのいずれか１つの請求項に記載の自動車であって、
前記操舵装置は、前記第１回転駆動手段により車両が前進するときの車輪の回転方向と逆方向に前記フライホイールを回転しているときには、前記リーン機構による傾斜角が大きいほど単位操舵角当たりのトウ角の変化量が大きくなる傾向に操舵角に対するトウ角を調整する装置である、
自動車。
【請求項１２】
請求項２，９〜１１のうちのいずれか１つの請求項に記載の自動車であって、
前記操舵装置は、前記第１回転駆動手段により車両が前進するときの車輪の回転方向と逆方向に前記フライホイールを回転しているときには、前記リーン機構による傾斜角が増加するときの変化率が大きいほど単位操舵角当たりのトウ角の変化量が大きくなる傾向に操舵角に対するトウ角を調整する装置である、
自動車。
【請求項１３】
請求項２，９〜１２のうちのいずれか１つの請求項に記載の自動車であって、
前記操舵装置は、前記第１回転駆動手段により車両が前進するときの車輪の回転方向と逆方向に前記フライホイールを回転しているときには、前記フライホイールの回転数が大きいほど単位操舵角当たりのトウ角の変化量が大きくなる傾向に操舵角に対するトウ角を調整する装置である、
自動車。
【請求項１４】
請求項２，９〜１３のうちのいずれか１つの請求項に記載の自動車であって、
前記操舵装置は、前記第１回転駆動手段により車両が前進するときの車輪の回転方向と逆方向に前記フライホイールを回転しているときには、車速が大きいほど単位操舵角当たりのトウ角の変化量が大きくなる傾向に操舵角に対するトウ角を調整する装置である、
自動車。
【請求項１５】
請求項１ないし１４のうちのいずれか１つの請求項に記載の自動車であって、
前記ジャイロ装置は、前記ヨー軸に取り付けられて前記ジャイロと前記第２回転駆動手段との接続および接続の解除を行なうクラッチを有する装置である、
自動車。
【発明の詳細な説明】
【技術分野】
【０００１】
本発明は、自動車に関し、詳しくは、少なくとも一つの操舵輪を含む３輪以上の車輪を有し、自立して停車可能な自動車に関する。
【背景技術】
【０００２】
従来、この種の自動車としては、ロータ軸に回動自在に支持されたロータとロータ軸を支持するインナジンバルとインナジンバルをロータ軸に垂直な軸廻りに回動自在に支持するアウタジンバルとを有する車体姿勢制御手段と、ハンドルの操舵方向を検出する操舵角センサと、車体の傾斜量を検出する車体傾斜センサと、アウタジンバルのアウタジンバル軸に回転トルクを付与するアクチュエータと、を備える自動二輪車が提案されている（例えば、特許文献１参照）。この自動二輪車では、車体傾斜センサの検出結果に応じた回転トルクをアクチュエータよりアウタジンバル軸に付与し、車体姿勢制御手段に発生するジャイロモーメントで車体を所定量傾斜させ、常に、車体の傾斜方向を車体重心に作用する合力の方向と一致させるとともに、その時の遠心力に基づくモーメント、重力に基づくモーメント及び車体姿勢制御手段からのジャイロモーメント間のバランスを維持することにより、ドライバの体重の移動を伴わずに右左折することができるようにしている。
【０００３】
また、回転可能に支持された回転体を有するジャイロと、ジャイロを回転体の回転軸と直交する軸回りに回転可能に支持する支持軸と、ジャイロを回転させるジンバルモータと、を有する車両挙動制御装置を備える自動車も提案されている（例えば、特許文献２参照）。この自動車では、車体を左右方向に貫くピッチ軸で回転体を回転支持すると共に、回転体を車両が前進するときの車輪の回転方向と逆方向に回転させ、更に、回転体の回転数を車速が大きいほど大きくすることにより、車両の挙動に応じたジャイロモーメントを発生させている。
【０００４】
さらに、車体を左右方向に傾斜させる機構を備える車両も提案されている（例えば、特許文献３参照）。この車両では、旋回時に旋回外側へ生じる横加速度による遠心力と重力がつりあう角度に車両の傾斜を制御することによって、搭乗者と車体に作用する力を座席の座面に垂直な方向下向きとなるようにして、搭乗者の違和感を軽減し、旋回時の車両の安定性を向上させている。
【先行技術文献】
【特許文献】
【０００５】
【特許文献１】特開２００４−８２９０３号公報
【特許文献２】特開２００８−２３６９５８号公報
【特許文献３】特開２０１１−１７８３２９号公報
【発明の概要】
【発明が解決しようとする課題】
【０００６】
近年、省エネルギの観点から、トレッドが狭く軽量で小型の自動車の開発が望まれている。このような自動車は、トレッドに対する重心の高さの割合がトレッドが広い車両に比して大きくなるため、旋回時に旋回外側に横転する可能性が高くなる。したがって、トレッドが狭く軽量で小型の自動車において、安定して旋回することができる構成が望まれている。
【０００７】
本発明の自動車は、安定して旋回することができる自動車を提案することを主目的とする。
【課題を解決するための手段】
【０００８】
本発明の自動車は、上述の主目的を達成するために以下の手段を採った。
【０００９】
本発明の自動車は、
少なくとも一つの操舵輪を含む３輪以上の車輪を有し、自立して停車可能な自動車であって、
車体を左右方向に傾斜可能なリーン機構と該リーン機構を駆動するためのリーン駆動手段とを有するリーン装置と、
フライホイールと該フライホイールを車体を水平に左右方向に貫くピッチ軸で回転駆動する第１回転駆動手段とを有するジャイロと、車体を垂直方向に貫くヨー軸で前記ジャイロを回転駆動する第２回転駆動手段と、を有するジャイロ装置と、
操舵角に対するトウ角を調整可能な操舵装置と、
を備えることを要旨とする。
【００１０】
この本発明の自動車では、旋回時には、リーン装置により車体を旋回内側に傾斜させると共に、ジャイロ装置から車体を前後方向に貫くロール軸周りに旋回内側に回転させるジャイロモーメントを発生させることにより、安定して旋回することができるようになる。そして、操舵装置により車体を旋回内側に傾斜させることによって車体をヨー軸周りに回転させるジャイロモーメントの作用を打ち消す方向に操舵角に対するトウ角を調整することにより、オーバーステアの傾向やアンダーステアの傾向を抑制することができる。これらの結果、本発明の自動車は、より安定して旋回することができる自動車となる。また、本発明の自動車では、急ハンドルによって車両が旋回外側に横転しそうになるときにジャイロ装置から車体をロール軸周りに旋回内側に回転させるジャイロモーメントを発生させるものとすれば、車両の横転を抑制することができる。このように、本発明の自動車では、安定して旋回することができると共に車両の横転を抑制することができるから、トレッドが狭く軽量で小型の自動車としても、横転することなく、安定して旋回することができる。
【００１１】
ここで、「少なくとも一つの操舵輪を含む３輪以上の車輪を有し、自立して停車可能な自動車」としては、自動二輪車のように停車時に安定して自立することができない自動車を除く意であり、１つの前輪と２つの後輪の３輪の自動車や２つの前輪と１つの後輪の３輪の自動車、２つの前輪と２つの後輪の４輪の自動車などのように、停車時や低速走行時に安定して自立することができる自動車を意味している。「リーン装置」としては、リーン駆動手段を駆動することによってリーン機構による車体の左右方向への傾斜が可能となるものを意味しており、運転者や乗員の体重移動によりリーン機構によって車体が左右方向へ傾斜するものは含まない意である。
【００１２】
こうした本発明の自動車において、前記操舵装置は、前記ジャイロ装置による車両の旋回方向と同方向に車体をヨー軸の周りに回転させるモーメントが大きいほど単位操舵角当たりのトウ角の変化量が小さくなる傾向に操舵角に対するトウ角を調整する装置である、ものとすることもできる。こうすれば、オーバーステアの傾向やアンダーステアの傾向をより効果的に抑制することができる。
【００１３】
本発明の自動車において、前記操舵装置は、前記第１回転駆動手段により車両が前進するときの車輪の回転方向と同方向に前記フライホイールを回転しているときには、操舵角が大きいほど単位操舵角当たりのトウ角の変化量が小さくなる傾向に操舵角に対するトウ角を調整する装置であるものとしたり、操舵角が増加するときの変化率が大きいほど単位操舵角当たりのトウ角の変化量が小さくなる傾向に操舵角に対するトウ角を調整する装置であるものとしたりすることができる。車両が前進するときの車輪の回転方向と同方向にフライホイールが回転しているときに旋回によりリーン装置によって車体を旋回内側に傾斜させると、車体にはヨー軸周りに旋回と同方向に作用するジャイロモーメントが作用するため、オーバーステアの傾向となる。オーバーステアの傾向とするジャイロモーメントは、操舵角が大きいほど、或いは、操舵角が増加するときの変化率が大きいほど、大きなものとなる。したがって、操舵角が大きいほど単位操舵角当たりのトウ角の変化量が小さくなる傾向に操舵角に対するトウ角を調整することにより、或いは、操舵角が増加するときの変化率が大きいほど単位操舵角当たりのトウ角の変化量が小さくなる傾向に操舵角に対するトウ角を調整することにより、オーバーステアの傾向を抑制することができる。
【００１４】
また、本発明の自動車において、前記操舵装置は、前記第１回転駆動手段により車両が前進するときの車輪の回転方向と同方向に前記フライホイールを回転しているときには、前記リーン機構による傾斜角が大きいほど単位操舵角当たりのトウ角の変化量が小さくなる傾向に操舵角に対するトウ角を調整する装置であるものとしたり、前記第１回転駆動手段により車両が前進するときの車輪の回転方向と同方向に前記フライホイールを回転しているときには、前記リーン機構による傾斜角が増加するときの変化率が大きいほど単位操舵角当たりのトウ角の変化量が小さくなる傾向に操舵角に対するトウ角を調整する装置であるものとしたりすることができる。前述したように、車両が前進するときの車輪の回転方向と同方向にフライホイールが回転しているときに旋回によりリーン装置によって車体を旋回内側に傾斜させると、オーバーステアの傾向となる。オーバーステアの傾向とするジャイロモーメントは、リーン機構にによる傾斜角が大きいほど、或いは、リーン機構による傾斜角が増加するときの変化率が大きいほど、大きなものとなる。したがって、リーン機構による傾斜角が大きいほど単位操舵角当たりのトウ角の変化量が小さくなる傾向に操舵角に対するトウ角を調整することにより、或いは、リーン機構による傾斜角が増加するときの変化率が大きいほど単位操舵角当たりのトウ角の変化量が小さくなる傾向に操舵角に対するトウ角を調整することにより、オーバーステアの傾向を抑制することができる。
【００１５】
さらに、本発明の自動車において、前記操舵装置は、前記第１回転駆動手段により車両が前進するときの車輪の回転方向と同方向に前記フライホイールを回転しているときには、前記フライホイールの回転数が大きいほど単位操舵角当たりのトウ角の変化量が小さくなる傾向に操舵角に対するトウ角を調整する装置であるものとしたり、車速が大きいほど単位操舵角当たりのトウ角の変化量が小さくなる傾向に操舵角に対するトウ角を調整する装置であるものとしたりすることができる。前述したように、車両が前進するときの車輪の回転方向と同方向にフライホイールが回転しているときに旋回によりリーン装置によって車体を旋回内側に傾斜させると、オーバーステアの傾向となる。オーバーステアの傾向とするジャイロモーメントは、フライホイールの回転数が大きいほど、或いは、車速が大きいほど、大きくなる。したがって、フライホイールの回転数が大きいほど単位操舵角当たりのトウ角の変化量が小さくなる傾向に操舵角に対するトウ角を調整することにより、或いは、車速が大きいほど単位操舵角当たりのトウ角の変化量が小さくなる傾向に操舵角に対するトウ角を調整することにより、オーバーステアの傾向を抑制することができる。
【００１６】
本発明の自動車において、前記操舵装置は、前記第１回転駆動手段により車両が前進するときの車輪の回転方向と逆方向に前記フライホイールを回転しているときには、操舵角が大きいほど単位操舵角当たりのトウ角の変化量が大きくなる傾向に操舵角に対するトウ角を調整する装置であるものとしたり、操舵角が増加するときの変化率が大きいほど単位操舵角当たりのトウ角の変化量が大きくなる傾向に操舵角に対するトウ角を調整する装置であるものとしたりすることができる。車両が前進するときの車輪の回転方向と逆方向にフライホイールが回転しているときに旋回によりリーン装置によって車体を旋回内側に傾斜させると、車体にはヨー軸周りに旋回と逆方向に作用するジャイロモーメントが作用するため、アンダーステアの傾向となる。アンダーステアの傾向とするジャイロモーメントは、操舵角が大きいほど、或いは、操舵角が増加するときの変化率が大きいほど、大きなものとなる。したがって、操舵角が大きいほど単位操舵角当たりのトウ角の変化量が大きくなる傾向に操舵角に対するトウ角を調整することにより、或いは、操舵角が増加するときの変化率が大きいほど単位操舵角当たりのトウ角の変化量が大きくなる傾向に操舵角に対するトウ角を調整することにより、アンダーステアの傾向を抑制することができる。
【００１７】
また、本発明の自動車において、前記操舵装置は、前記第１回転駆動手段により車両が前進するときの車輪の回転方向と逆方向に前記フライホイールを回転しているときには、前記リーン機構による傾斜角が大きいほど単位操舵角当たりのトウ角の変化量が大きくなる傾向に操舵角に対するトウ角を調整する装置であるものとしたり、前記リーン機構による傾斜角が増加するときの変化率が大きいほど単位操舵角当たりのトウ角の変化量が大きくなる傾向に操舵角に対するトウ角を調整する装置であるものとしたりすることができる。前述したように、車両が前進するときの車輪の回転方向と逆方向にフライホイールが回転しているときに旋回によりリーン装置によって車体を旋回内側に傾斜させると、アンダーステアの傾向となる。アンダーステアの傾向とするジャイロモーメントは、リーン機構による傾斜角が大きいほど、或いは、リーン機構による傾斜角が増加するときの変化率が大きいほど、大きなものとなる。したがって、リーン機構による傾斜角が大きいほど単位操舵角当たりのトウ角の変化量が大きくなる傾向に操舵角に対するトウ角を調整することにより、或いは、リーン機構による傾斜角が増加するときの変化率が大きいほど単位操舵角当たりのトウ角の変化量が大きくなる傾向に操舵角に対するトウ角を調整することにより、アンダーステアの傾向を抑制することができる。
【００１８】
さらに、本発明の自動車において、前記操舵装置は、前記第１回転駆動手段により車両が前進するときの車輪の回転方向と同方向に前記フライホイールを回転しているときには、前記フライホイールの回転数が大きいほど単位操舵角当たりのトウ角の変化量が大きくなる傾向に操舵角に対するトウ角を調整する装置であるものとしたり、車速が大きいほど単位操舵角当たりのトウ角の変化量が大きくなる傾向に操舵角に対するトウ角を調整する装置であるものとしたりすることができる。前述したように、車両が前進するときの車輪の回転方向と逆方向にフライホイールが回転しているときに旋回によりリーン装置によって車体を旋回内側に傾斜させると、アンダーステアの傾向となる。アンダーステアの傾向とするジャイロモーメントは、フライホイールの回転数が大きいほど、或いは、車速が大きいほど、大きくなる。したがって、フライホイールの回転数が大きいほど単位操舵角当たりのトウ角の変化量が大きくなる傾向に操舵角に対するトウ角を調整することにより、或いは、車速が大きいほど単位操舵角当たりのトウ角の変化量が大きくなる傾向に操舵角に対するトウ角を調整することにより、アンダーステアの傾向を抑制することができる。
【００１９】
本発明の自動車において、前記ジャイロ装置は、前記ヨー軸に取り付けられて前記ジャイロと前記第２回転駆動手段との接続および接続の解除を行なうクラッチを有する装置である、ものとすることもできる。こうすれば、クラッチによるジャイロと第２回転駆動手段の接続と接続の解除により、必要なジャイロモーメントを発生させたり、不要なジャイロモーメントの発生を抑制することができる。
【図面の簡単な説明】
【００２０】
【図１】本発明の一実施例としての三輪自動車２０を左側面から見た側面図である。
【図２】実施例の三輪自動車２０を上方から見た上面図である。
【図３】実施例の三輪自動車２０を前方から見た前面図である。
【図４】操舵装置４０の構成の概略を示す構成図である。
【図５】リーン装置５０の構成の概略を示す構成図である。
【図６】リーンモータ５４の出力軸５５を駆動したときのリーン装置５０の状態の一例を示す説明図である。
【図７】図６における車体の傾斜の様子を示す説明図である。
【図８】ジャイロ装置６０の構成の概略を示す構成図である。
【図９】フライホイール６１の回転方向とジンバル支持部６４の回転方向と発生するジャイロモーメントの作用方向とを説明する説明図である。
【図１０】フライホイール６１の回転方向とジンバル支持部６４の回転方向と発生するジャイロモーメントの作用方向とを説明する説明図である。
【図１１】フライホイール６１の回転方向と旋回方向と発生するジャイロモーメントの作用方向とを説明する説明図である。
【図１２】フライホイール６１の回転方向と旋回方向と発生するジャイロモーメントの作用方向とを説明する説明図である。
【図１３】フライホイール６１の回転方向と車体の傾斜方向と発生するジャイロモーメントの作用方向とを説明する説明図である。
【図１４】フライホイール６１の回転方向と車体の傾斜方向と発生するジャイロモーメントの作用方向とを説明する説明図である。
【図１５】制御装置８０の入出力関係の一例を機能ブロックとして示すブロック図である。
【図１６】重力Ｆｇと遠心力Ｆｃとの合成力の作用線がトレッドの中央になるようにしたときの様子を示す説明図である。
【図１７】操舵制御ルーチンの一例を示すフローチャートである。
【図１８】正回転用のマップＭＯ１，ＭＯ２，ＭＯ３，ＭＯ４の一例を示す説明図である。
【図１９】負回転用のマップＭＵ１，ＭＵ２，ＭＵ３，ＭＵ４の一例を示す説明図である。
【図２０】正回転用のマップＭＯ５，ＭＯ６の一例を示す説明図である。
【図２１】負回転用のマップＭＵ５，ＭＵ６の一例を示す説明図である。
【図２２】変形例の四輪自動車２２０の構成の一例を示す構成図である。
【図２３】変形例の三輪自動車３２０の構成の一例を示す構成図である。
【発明を実施するための形態】
【００２１】
次に、本発明を実施するための形態を実施例を用いて説明する。
【実施例】
【００２２】
図１は本発明の一実施例としての三輪自動車２０を左側面から見た側面図であり、図２は実施例の三輪自動車２０を上方から見た上面図であり、図３は実施例の三輪自動車２０を前方から見た前面図である。なお、図２では、説明の容易のために、車両の屋根の部分を除いて図示した。
【００２３】
実施例の三輪自動車２０は、図示するように、１つの操舵輪である前輪２２と駆動用のモータ２６Ｌ，２６Ｒが組み込まれた２つの後輪２４Ｌ，２４Ｒとを有する１人乗車の三輪自動車として構成されており、運転席３２を有し前輪２２と後輪２４Ｌ，２４Ｒとに支持される車体本体３０と、運転者によるハンドル４２の操作に基づいて前輪２２を操舵する操舵装置４０と、車体本体３０と後輪２４Ｌ，２４Ｒとの間に取り付けられて後輪２４Ｌ，２４Ｒの一方を持ち上げると共に他方を押し下げることにより車体本体３０を左右方向に傾斜させるリーン装置５０と、運転席３２の下方に配置されて車両の姿勢制御に用いられるジャイロ装置６０と、モータ２６Ｌ，２６Ｒやリーン装置５０，ジャイロ装置６０に電力を供給する例えばリチウムイオン二次電池として構成されたバッテリ７０と、運転者の操作に基づいて操舵装置４０やモータ２６Ｌ，２６Ｒを駆動制御したり、リーン装置５０やジャイロ装置６０を駆動制御したりする制御装置８０と、を備える。
【００２４】
操舵装置４０は、図４の構成図に示すように、ハンドル４２と操舵輪である前輪２２が機械的に接続されていないステアバイワイヤ構成を有するものとして構成されており、ハンドル４２の操作に対して反力を出力する操舵反力アクチュエータ４４と、操舵輪である前輪２２のトウ角（車両進行方向に対するタイヤの開き角）を調整するためのトウ角調整アクチュエータ４６と、を備える。操舵装置４０の操舵反力アクチュエータ４４は、制御装置８０により、運転者の操舵に対して適当な反力としてのトルクがハンドル４２に出力されるよう制御されている。また、操舵装置４０のトウ角調整アクチュエータ４６は、制御装置８０により、操舵角センサ８６からの操舵角θＳ等に基づいてトウ角の変化量を調整する操舵制御を実行することにより制御されている。この操舵制御については後述する。
【００２５】
リーン装置５０は、図５の構成図に示すように、後輪２４Ｌ，２４Ｒの内側に配置されてモータ２６Ｌ，２６Ｒを支持する縦リンクユニット５１Ｌ，５１Ｒと、縦リンクユニット５１Ｌ，５１Ｒの上端と下端とにそれぞれ回転自在に連結された横リンクユニット５１Ｕ，５１Ｄと、車体本体３０を支持する支持部３６に回転不動に取り付けられると共に横リンクユニット５１Ｕ，５１Ｄの中央部でそれぞれ回転自在に連結された中央縦部材５２と、支持部３６に配置されると共に回転子に接続された出力軸５５が上側の横リンクユニット５１Ｕの中央に回転不能に取り付けられたリーンモータ５４と、を備える。リーンモータ５４としては、例えばステッピングモータを用いることができる。リーン装置５０は、図５において出力軸５５が右回りに回転するようリーンモータ５４を駆動すると、出力軸５５の回転に伴って上側の横リンクユニット５１Ｕが回転し、この横リンクユニット５１Ｕの回転に伴って下側の横リンクユニット５１Ｄも回転する。横リンクユニット５１Ｕ，５１Ｄの回転は、図６に示すように、右後輪２４Ｒを持ち上げると共に左後輪２４Ｌを押し下げる動作となるから、図７に示すように、車体を右側に傾斜させる。同様に、図５において出力軸５５が左回りに回転するようリーンモータ５４を駆動することにより、車体を左側に傾斜させることができる。このとき、車体の傾斜角は、リーンモータ５４による回転子の回転角に対応するものとして調整することができ、回転子を所望の回転角で保持することにより、車体を所望の傾斜角で保持することができる。
【００２６】
ジャイロ装置６０は、図８の構成図に示すように、導電性の金属材料により円環状に形成されて基本的には車両を水平に左右方向に貫くピッチ軸を回転軸として回転するフライホイール６１とフライホイール６１を収納するケースとして機能すると共に内側にフライホイール６１を回転駆動するための三相コイル（図示せず）が取り付けられたステータケース６２とからなるジャイロ６３と、フライホイール６１の回転軸（ピッチ軸）と直交する垂直軸（車両を垂直方向に貫くヨー軸）でステータケース６２に取り付けられてジャイロ６３を支持するジンバル支持部６４と、ジンバル支持部６４を回転駆動するジンバルモータ６５と、ジンバル支持部６４とジンバルモータ６５との接続およびその接続の解除を行なうクラッチ６６と、を備える。上述したように、ジャイロ６３のフライホイール６１とステータケース６２は、フライホイール６１を回転子とすると共にステータケース６２を固定子とするモータ（例えば、誘導電動機など）を構成するから、ステータケース６２の内側に取り付けられた三相コイルの回転磁界をコントロールすることにより、フライホイール６１の回転を制御することができる。実施例では、ピッチ軸を回転軸として回転するようフライホイール６１を配置するのは、ジャイロ装置６０を車両に搭載したときに高い左右の対称性を得ることができるためである。ジンバルモータ６５としては、例えばステッピングモータを用いることができる。
【００２７】
ジャイロ装置６０では、ジンバルモータ６５を回転駆動してジャイロ６３をヨー軸周りに回転すると、その回転角速度に応じた大きさのジャイロモーメントが車両を水平に前後方向に貫くロール軸周りに発生する。ジャイロモーメントの作用方向は、車両が前進しているときの車輪の回転方向と同方向にフライホイール６１が回転しているときに車両を右折させるときのハンドル操作と同方向にジンバル支持部６４を回転させてフライホイール６１を回転させると、車体を左側に傾斜させる方向となる。この関係を図９に示す。逆に、車両が前進しているときの車輪の回転方向と同方向にフライホイール６１が回転しているときに車両を左折させるときのハンドル操作と同方向にジンバル支持部６４を回転させてフライホイール６１を回転させると、ジャイロモーメントの作用方向は、車体を右側に傾斜させる方向となる。即ち、車両が前進しているときの車輪の回転方向と同方向にフライホイール６１が回転しているときには、旋回の方向（例えば右旋回の方向）と同方向にジンバル支持部６４を回転させてフライホイール６１を回転させると、旋回の方向とは逆側（右旋回の方向とは逆の左側）に車体を傾斜させる方向のジャイロモーメントが発生する。また、ジャイロモーメントの作用方向は、車両が前進しているときの車輪の回転方向と逆方向にフライホイール６１が回転しているときに車両を右折させるときのハンドル操作と同方向にジンバル支持部６４を回転させてフライホイール６１を回転させると、車体を右側に傾斜させる方向となる。この関係を図１０に示す。逆に、車両が前進しているときの車輪の回転方向と逆方向にフライホイール６１が回転しているときに車両を左折させるときのハンドル操作と同方向にジンバル支持部６４を回転させてフライホイール６１を回転させると、ジャイロモーメントの作用方向は、車体を左側に傾斜させる方向となる。即ち、車両が前進しているときの車輪の回転方向とは逆方向にフライホイール６１が回転しているときには、旋回の方向（例えば右旋回の方向）と同方向にジンバル支持部６４を回転させてフライホイール６１を回転させると、旋回の方向と同側（右旋回の方向と同じ右側）に車体を傾斜させる方向のジャイロモーメントが発生する。したがって、フライホイール６１をいずれの回転方向に回転させてもジンバル支持部６４の回転方向を制御することにより、車体を左右のいずれの側にも傾斜させる方向のジャイロモーメントを発生させることができる。
【００２８】
また、ジャイロ装置６０は、クラッチ６６によりジンバル支持部６４とジンバルモータ６５とが接続されているときには、ジンバルモータ６５を駆動しなくても、運転者のハンドル操作によって車両が旋回すると、フライホイール６１の回転軸（ピッチ軸）が回転するため、ジャイロモーメントが生じる。車両の旋回により生じるジャイロモーメントの作用方向は、車両が前進しているときの車輪の回転方向と同方向にフライホイール６１が回転しているときにハンドル４２を右に操作して車両が右旋回すると、車体を左側に傾斜させる方向となる。この関係を図１１に示す。逆に、車両が前進しているときの車輪の回転方向と同方向にフライホイール６１が回転しているときにハンドル４２を左に操作して車両が左旋回すると、ジャイロモーメントの作用方向は、車体を右側に傾斜させる方向となる。また、ジャイロモーメントの作用方向は、車両が前進しているときの車輪の回転方向と逆方向にフライホイール６１が回転しているときにハンドル４２を右に操作して車両が右旋回すると、車体を右側に傾斜させる方向となる。この関係を図１２に示す。逆に、車両が前進しているときの車輪の回転方向と逆方向にフライホイール６１が回転しているときにハンドル４２を左に操作して車両が左旋回すると、ジャイロモーメントの作用方向は、車体を左側に傾斜させる方向となる。したがって、旋回時には、遠心力が作用するため、旋回方向に車体を傾斜させるジャイロモーメントが発生する方が好ましいため、車両が前進しているときの車輪の回転方向と逆方向にフライホイール６１を回転させるのが好ましい。なお、車両が前進しているときの車輪の回転方向と逆方向にフライホイール６１を回転させるものとしても、上述したように、ジンバルモータ６５によりジンバル支持部６４を回転させてフライホイール６１を回転させることにより、ジャイロモーメントを発生させることができるから、ジンバルモータ６５の制御により所望のジャイロモーメントを発生させることができる。
【００２９】
さらに、ジャイロ装置６０は、クラッチ６６によりジンバル支持部６４とジンバルモータ６５とが接続されているときには、ジンバルモータ６５を駆動しなくても、リーン装置５０により車体が傾斜すると、フライホイール６１の回転軸（ピッチ軸）が回転するため、ジャイロモーメントが生じる。このときのジャイロモーメントの作用方向は、車両が前進しているときの車輪の回転方向と同方向にフライホイール６１が回転しているときに車体を左側に傾斜すると、ヨー軸周りに車両が左旋回する方向となる。この関係を図１３に示す。逆に、車両が前進しているときの車輪の回転方向と同方向にフライホイール６１が回転しているときに車体を右側に傾斜すると、ジャイロモーメントの作用方向は、ヨー軸周りに車両が右旋回する方向となる。また、ジャイロモーメントの作用方向は、車両が前進しているときの車輪の回転方向と逆方向にフライホイール６１が回転しているときに車体を左側に傾斜すると、ヨー軸周りに車両が右旋回する方向となる。この関係を図１４に示す。逆に、車両が前進しているときの車輪の回転方向と逆方向にフライホイール６１が回転しているときに車体を右側に傾斜すると、ジャイロモーメントの作用方向は、ヨー軸周りに車両が左旋回する方向となる。後述するが、実施例の三輪自動車２０では、安定して旋回するために、左旋回するときには車体を左側に傾斜し、右旋回するときには車体を右側に傾斜する。したがって、車体を傾斜させることにより生じるジャイロモーメントの作用方向は、車両が前進しているときの車輪の回転方向と同方向にフライホイール６１が回転しているときには旋回を促進する方向となり、逆に、車両が前進しているときの車輪の回転方向と逆方向にフライホイール６１が回転しているときには旋回を抑制する方向となる。
【００３０】
制御装置８０は、図示しないがＣＰＵを中心とするマイクロコンピュータとして構成されており、ＣＰＵの他に、処理プログラムなどを記憶するＲＯＭやデータを一時的に記憶するＲＡＭ，入出力ポートなどを備える。図１５に、制御装置８０の入出力関係の一例を機能ブロックとして示す。制御装置８０の図示しない入力ポートには、シフトポジションセンサ８１からのシフトポジションやアクセルポジションセンサ８２からのアクセルポジション，ブレーキポジションセンサ８３からのブレーキポジション，車速センサ８４からの車速Ｖ，後輪２４Ｌ，２４Ｒに取り付けられた車輪速センサ８５Ｌ，８５Ｒからの車輪速，操舵装置４０に取り付けられてハンドル４２の操舵角θＳを検出する操舵角センサ８６からの操舵角θＳ，モータ２６Ｌ，２６Ｒの回転子の位置を検出する回転位置検出センサ８７Ｌ，８７Ｒからの回転位置，車両総重量Ｍを検出する車両総重量センサ８８からの車両総重量Ｍ，路面勾配を検出する勾配センサ８９からの勾配，リーン装置５０による車体本体３０の傾斜角としてのリーン角θＬを検出するリーン角センサ９０からのリーン角θＬ，ジンバル支持部６４の基準位置からの回転角θＧを検出するジンバル角センサ９１からのジンバル角θＧ，フライホイール６１の回転数ＮＷを検出する回転数センサ９２からのフライホイール６１の回転数ＮＷ，車体本体３０の左右方向への傾斜角（ロール角）を検出するロール角センサ９３からのロール角θＲなどが入力されている。一方、制御装置８０の図示しない出力ポートからは、モータ２６Ｌ，２６Ｒへの駆動信号や操舵装置４０への駆動信号，リーンモータ５４への駆動信号，ジャイロ６３への駆動信号，ジンバルモータ６５への駆動信号，クラッチ６６への駆動信号、などが出力されている。なお、制御装置８０の主な制御としては、シフトポジションやアクセルポジション，ブレーキポジションに基づいてモータ２６Ｌ，２６Ｒを駆動制御する走行制御、操舵角に基づいて前輪２２のトウ角を制御する操舵制御、操舵角や車速などに基づいてリーン装置５０による車体の傾斜を制御するリーン制御、操舵角や車速，フライホイール６１の回転数などに基づいてジャイロ装置６０により発生するジャイロモーメントを制御するジャイロ制御、などがある。なお、図１５の制御装置８０の中に示した「走行制御部」，「操舵制御部」，「リーン制御部」，「ジャイロ制御部」は、上述の制御を機能ブロックとして示したものである。
【００３１】
こうして構成された実施例の三輪自動車２０では、走行制御部によりモータ２６Ｌ，２６Ｒが駆動制御されて走行し、操舵制御部によりハンドル４２の操作角（操舵角θＳ）に対するトウ角が調整されるようトウ角調整アクチュエータ４６が駆動制御されてハンドル４２の操作方向に旋回する。また、リーン制御部により、操舵角θＳに基づいてリーン装置５０により車体本体３０の左右方向に傾斜するようリーンモータ５４が駆動制御され、ジャイロ制御部により、必要に応じて必要な方向のジャイロモーメントが発生するようジャイロ装置６０が駆動制御される。
【００３２】
リーン制御としては、重心に作用する重力Ｆｇと遠心力Ｆｃとの合成力の作用線がトレッド（左右の車輪２４Ｌ，２４Ｒの中心間距離）の中央になるようにリーンモータ５４を駆動制御するものとすることができる。このように制御することにより、乗員に横向きの加速度を与えないようにして車両を安定して旋回させることができると共に、旋回外側への車両の横転を抑制することができる。図１６に、重力Ｆｇと遠心力Ｆｃとの合成力の作用線がトレッドの中央になるようにしたときの様子を示す。リーン制御は、簡易な手法を考えれば、乗員や荷物の搭載によっては重心は車両の左右方向には変化しないものとし、重力Ｆｇと遠心力Ｆｃとを計算し、ｔａｎθＬ＝Ｆｃ／Ｆｇとなるリーン角θＬを求め、リーン装置５０の傾きが求めたリーン角θＬとなるようリーンモータ５４を駆動制御することによって行なうことができる。ここで、重力Ｆｇは、車両総重量センサ８８からの車両総重量Ｍとして得ることができる。遠心力Ｆｃは、操舵角センサ８６からの操舵角θＳや車輪速センサ８５Ｌ，８５Ｒからの車輪速などから計算される旋回時の回転半径ｒと、この回転半径と車速センサ８４からの車速から計算される角速度ωと、車両総重量センサ８８からの車両総重量Ｍと、により、Ｆｃ＝Ｍｒω2として計算することができる。リーン制御として簡易な手法を用いずに重心位置を用いて計算するものとしてもよい。この場合、重心位置Ｇは、予め解っている車両自体の重量および車両自体の重心位置と計測により得られる乗員や荷物（以下、「乗員等」という。）の重量および乗員等の重心位置とにより計算することができる。例えば、簡易な手法としては、乗員等の重心位置を実験などにより予め定めておき、車両総重量センサ８８により検出される車両総重量Ｍから車両自体の重量を減じて乗員等の重量を計算し、この計算した乗員等の重量と定めておいた乗員等の重心位置と車両自体の重量と車両自体の重心位置とを用いて計算することができる。更に詳細な手法としては、乗員の着座位置や座高，重量等を検出して乗員の重量と重心位置を求めると共に各荷物の搭載位置や寸法，重量等を検出して各荷物の重量と重心位置とを求め、乗員の重量および重心位置と各荷物の重量および重心位置と車両自体の重量および重心位置とにより重心位置を計算することもできる。
【００３３】
また、リーン制御としては、重心に作用する重力Ｆｇと遠心力Ｆｃとの合成力の作用線がトレッドの中央になるようにリーンモータ５４を駆動制御するものだけでなく、重心に作用する重力Ｆｇと遠心力Ｆｃとの合成力の作用線がトレッドの範囲内になるようにリーンモータ５４を駆動制御するものとしてもよい。この場合、乗員に横向きの加速度を与えるものの、車両を安定して旋回させることができると共に、旋回外側への車両の横転を抑制することができる。
【００３４】
ジャイロ制御としては、例えば、旋回などにより車両が横転する可能性があると判断したときに、旋回内側にジャイロモーメントが作用するようにジャイロ装置６０のジンバルモータ６５とクラッチ６６とを駆動制御する横転抑制制御を実行するものとすることができる。横転抑制制御としては、旋回などにより車両が横転する可能性があると判断したときに、車両が前進しているときの車輪の回転方向と同方向にフライホイール６１が回転しているときには、車両が横転する方向の旋回と同方向にジンバル支持部６４が迅速に回転するようにジンバルモータ６５を駆動制御するものとすることができる。例えば、車両が右側に横転する可能性があると判断したときには、右旋回と同方向にジンバル支持部６４が迅速に回転するようにジンバルモータ６５を駆動制御するのである。上述したように、車両が前進しているときの車輪の回転方向と同方向にフライホイール６１が回転しているときに旋回の方向と同方向にジンバル支持部６４を回転させてフライホイール６１を回転させると、旋回の方向とは逆側に車体を傾斜させる方向のジャイロモーメントが発生するから、車両が横転する方向の旋回と同方向にジンバル支持部６４を迅速に回転させてフライホイール６１を迅速に回転させることにより、車両が横転する方向とは逆方向のジャイロモーメントを発生させ、車両の横転を抑制することができる。また、旋回などにより車両が横転する可能性があると判断したときに、車両が前進しているときの車輪の回転方向とは逆方向にフライホイール６１が回転しているときには、車両が横転する方向の旋回とは逆方向にジンバル支持部６４が迅速に回転するようにジンバルモータ６５を駆動制御するものとすることができる。例えば、車両が右側に横転する可能性があると判断したときには、右旋回とは逆方向にジンバル支持部６４が迅速に回転するようにジンバルモータ６５を駆動制御するのである。上述したように、車両が前進しているときの車輪の回転方向とは逆方向にフライホイール６１が回転しているときに旋回の方向と同方向にジンバル支持部６４を回転させてフライホイール６１を回転させると、旋回の方向と同側に車体を傾斜させる方向のジャイロモーメントが発生するから、車両が横転する方向の旋回とは逆方向にジンバル支持部６４を迅速に回転させることにより、車両が横転する方向とは逆方向のジャイロモーメントを発生させ、車両の横転を抑制することができる。
【００３５】
横転抑制制御において、旋回などにより車両が横転する可能性の有無の判断は、例えば、重心に作用する重力Ｆｇと遠心力Ｆｃとの合成力の作用線がトレッドの範囲を含む所定範囲外となるか否かによる判定や、車両が旋回外側に回転する回転角速度が予め定めた閾値以上であるか否かによる判定，旋回外側の車輪に作用するモーメントが旋回外側に車体を傾斜させる方向のモーメントとして予め定められた閾値以上であるか否かによる判定などにより行なうことができる。これらの判定は、いずれも力学的見地から、他の力が作用しなければ、いずれ車両が横転するものとなる。
【００３６】
横転抑制制御は、車両が横転する可能性があるときに実行されるから、車両が横転する可能性がないときには、ジャイロ装置６０を他の目的に使用することができる。例えば、リーン装置５０により車体を傾斜させるときに、車体を傾斜させる方向のジャイロモーメントを発生させることにより、車体の傾斜をアシストするリーンアシスト制御を実行することができる。このリーンアシスト制御は、リーン装置５０のリーンモータ５４の駆動のタイミングで、車両が前進しているときの車輪の回転方向と同方向にフライホイール６１が回転していれば、車体を傾斜させる方向の旋回とは逆方向にジンバル支持部６４が回転するようにジンバルモータ６５を駆動制御し、車両が前進しているときの車輪の回転方向とは逆方向にフライホイール６１が回転していれば、車体を傾斜させる方向の旋回と同方向にジンバル支持部６４が回転するようにジンバルモータ６５を駆動制御することにより行なうことができる。ジャイロモーメントはフライホイール６１の回転数が大きいほど且つジンバル支持部６４の回転角速度が大きいほど大きくなるから、車体を傾斜させるタイミングで作用させるジャイロモーメントの大きさはフライホイール６１の回転数に基づいてジンバル支持部６４の回転角速度を求めてジンバルモータ６５を駆動制御すればよい。こうしたリーンアシスト制御をジャイロ制御として実行することにより、迅速に旋回内側に車体を傾斜させることができる。また、リーンアシスト制御はリーン装置５０のリーンモータ５４の駆動による車体の傾斜をアシストするものであるから、リーンアシスト制御を実行することにより、リーンモータ５４として出力トルクの小さなものを用いることができると共にリーンモータ５４を小型のものとすることができる。
【００３７】
ジャイロ制御としては、操舵角θＳや車速Ｖに応じて旋回内側に車体を傾斜させる方向のジャイロモーメントが作用するようジャイロ装置６０のジンバルモータ６５とクラッチ６６とを駆動制御するハンドル対応制御を実行するものとしてもよい。ハンドル対応制御としては、操舵角θＳが大きいほど、操舵角θＳの時間変化率（操舵角の回転角速度）が大きいほど、車速Ｖが大きいほど、大きなジャイロモーメントであって旋回内側に車体を傾斜させる方向のジャイロモーメントが発生するようにジンバルモータ６５を駆動制御することにより行なうことができる。これは、操舵角θＳが大きいほど、操舵角θＳの時間変化率（操舵角の回転角速度）が大きいほど、車速Ｖが大きいほど、遠心力が大きくなることに基づいている。こうしたハンドル対応制御により、車両はより安定して旋回することができるようになる。
【００３８】
実施例の三輪自動車２０では、上述のリーン制御やジャイロ制御により、より安定して旋回することができるようにすると共に車両の横転を抑制することができるが、前述したように、リーン制御を実行して車体が傾斜すると、フライホイール６１の回転軸（ピッチ軸）がロール軸周りに回転するため、ヨー軸周りに作用するジャイロモーメントが生じて車両に作用する。この車体を傾斜させることにより生じるジャイロモーメントの作用方向は、車両が前進しているときの車輪の回転方向と同方向にフライホイール６１が回転しているときには旋回を促進する方向となり、逆に、車両が前進しているときの車輪の回転方向と逆方向にフライホイール６１が回転しているときには旋回を抑制する方向となる。したがって、車両が前進しているときの車輪の回転方向と同方向にフライホイール６１が回転しているときにはオーバーステアの傾向が生じ、逆に、車両が前進しているときの車輪の回転方向と逆方向にフライホイール６１が回転しているときにはアンダーステアの傾向が生じる。実施例の三輪自動車２０では、こうしたオーバーステアの傾向やアンダーステアの傾向を操舵制御により抑制している。
【００３９】
図１７は、実施例の三輪自動車２０の制御装置８０が操舵制御部として機能したときに実行される操舵制御ルーチンの一例を示すフローチャートである。このルーチンは所定時間毎（例えば、数ｍｓｅｃ毎）に実行される。操舵制御ルーチンが実行されると、制御装置８０は、まず、フライホイール回転数センサ９２からのジャイロ６３のフライホイール６１の回転数Ｎｆや操舵角センサ８６からの操舵角θＳ，車速センサ８４からの車速Ｖなど操舵制御に必要なデータを入力し（ステップＳ１００）、入力した操舵角θＳから前回このルーチンが実行されたときに入力した操舵角θＳ（以下、「前回操舵角θＳ」という。）を減じて操舵角変化量ΔθＳを計算する（ステップＳ１１０）。続いて、入力したフライホイール６１の回転数Ｎｆが正回転しているか負回転しているかを判定する（ステップＳ１２０）。実施例では、車両が前進しているときの車輪の回転方向を正回転として判定するものとした。フライホイール６１が正回転しているときには、操舵角θＳ，操舵角変化量ΔθＳ，フライホイール回転数Ｎｆ，車速Ｖに対して正回転用のマップＭＯ１，ＭＯ２，ＭＯ３，ＭＯ４を適用してトウ角係数ｋ１，ｋ２，ｋ３，ｋ４を設定し（ステップＳ１３０）、フライホイール６１が負回転しているときには、操舵角θＳ，操舵角変化量ΔθＳ，フライホイール回転数Ｎｆの絶対値，車速Ｖに対して負回転用のマップＭＵ１，ＭＵ２，ＭＵ３，ＭＵ４を適用してトウ角係数ｋ１，ｋ２，ｋ３，ｋ４を設定し（ステップＳ１４０）、操舵角変化量ΔθＳに基本係数ｋ０と設定したトウ角係数ｋ１，ｋ２，ｋ３，ｋ４を乗じてトウ角変化量Δθｔを計算する（ステップＳ１５０）。そして、前回このルーチンが実行されたときに設定したトウ角θｔ（現在のトウ角）に計算したトウ角変化量θｔを加えて新たなトウ角θｔを計算し（ステップＳ１６０）、操舵輪である前輪２２のトウ角が計算したトウ角θｔとなるようトウ角調整アクチュエータ４６を駆動して（ステップＳ１７０）、本ルーチンを終了する。
【００４０】
ここで、基本係数ｋ０は、基本的な操舵角θの変化量に対するトウ角θｔの変化量を設定するための係数であり、オーバーステアの傾向もアンダーステアの傾向もないときに用いられるものである。トウ角係数ｋ１は、操舵角θＳに対する単位操舵角変化量当たりのトウ角θｔの変化量を増減するための係数であり、トウ角係数ｋ２は、操舵角変化量ΔθＳに対する単位操舵角変化量当たりのトウ角θｔの変化量を増減するための係数であり、トウ角係数ｋ３は、フライホイール６１の回転数Ｎｆに対する単位操舵角変化量当たりのトウ角θｔの変化量を増減するための係数であり、トウ角係数ｋ４は、車速Ｖに対する単位操舵角変化量当たりのトウ角θｔの変化量を増減するための係数である。図１８に正回転用のマップＭＯ１，ＭＯ２，ＭＯ３，ＭＯ４の一例を示し、図１９に負回転用のマップＭＵ１，ＭＵ２，ＭＵ３，ＭＵ４の一例を示す。
【００４１】
前述したように、車両が前進しているときの車輪の回転方向と同方向にフライホイール６１が回転しているとき（正回転しているとき）に、車体本体３０を傾斜すると、オーバーステアの傾向を生じるヨー軸周りジャイロモーメントが発生する。このため、実施例では、操舵角θＳが大きいほど、操舵角変化量ΔθＳが大きいほど、フライホイール回転数Ｎｆが大きいほど、車速Ｖが大きいほど、係数ｋ１，ｋ２，ｋ３，ｋ４が値１より小さくなる傾向に調整された正回転用のマップＭＯ１，ＭＯ２，ＭＯ３，ＭＯ４を用いることにより、単位操舵角変化量当たりのトウ角θｔの変化量（トウ角変化量Δθｔ）が小さくなるようにしてハンドル４２の操作に対するトウ角θｔの切れを鈍くし、オーバーステアの傾向を打ち消すようにしている。一方、車両が前進しているときの車輪の回転方向とは逆方向にフライホイール６１が回転しているとき（負回転しているとき）に、車体本体３０を傾斜すると、アンダーステアの傾向を生じるヨー軸周りジャイロモーメントが発生する。このため、実施例では、操舵角θＳが大きいほど、操舵角変化量ΔθＳが大きいほど、フライホイール回転数Ｎｆの絶対値が大きいほど、車速Ｖが大きいほど、係数ｋ１，ｋ２，ｋ３，ｋ４が値１より大きくなる傾向に調整された負回転用のマップＭＵ１，ＭＵ２，ＭＵ３，ＭＵ４を用いることにより、単位操舵角変化量当たりのトウ角θｔの変化量（トウ角変化量Δθｔ）が大きくなるようにしてハンドル４２の操作に対するトウ角θｔの切れを鋭くし、アンダーステアの傾向を打ち消すようにしている。したがって、こうした操舵制御を行なうことにより、車体本体３０を傾斜させたときに生じるジャイロモーメントによるオーバーステアの傾向やアンダーステアの傾向を抑制することができる。この結果、安定して旋回することができる。
【００４２】
以上説明した実施例の三輪自動車２０によれば、リーンモータ５４の駆動により車体本体３０を左右方向に傾斜させるリーン装置５０と、フライホイール６１を有するジャイロ６３とジンバルモータ６５とを有するジャイロ装置６０と、ステアバイワイヤ機構を有する操舵装置４０と、を備えることにより、より安定して旋回することができると共に、車両の横転を抑制することができる。したがって、トレッドが狭く軽量で小型の自動車としても、横転することなく、安定して旋回することができる。特に、車両が前進しているときの車輪の回転方向と同方向にフライホイール６１が回転しているとき（正回転しているとき）には、操舵角θＳが大きいほど、操舵角変化量ΔθＳが大きいほど、フライホイール回転数Ｎｆが大きいほど、車速Ｖが大きいほど、値１より小さくなる傾向に調整された正回転用のマップＭＯ１，ＭＯ２，ＭＯ３，ＭＯ４を用いて係数ｋ１，ｋ２，ｋ３，ｋ４を設定し、操舵角変化量ΔθＳに基本係数ｋ０と共に係数ｋ１，ｋ２，ｋ３，ｋ４を乗じてトウ角変化量Δθｔを計算し、これに基づいてトウ角θｔを計算して前輪２２のトウ角を調整することにより、旋回時に車体本体３０が旋回内側に傾斜したときに旋回性を促進する方向に作用するジャイロモーメントによるオーバーステアの傾向を抑制することができる。また、車両が前進しているときの車輪の回転方向とは逆方向にフライホイール６１が回転しているとき（負回転しているとき）には、操舵角θＳが大きいほど、操舵角変化量ΔθＳが大きいほど、フライホイール回転数Ｎｆの絶対値が大きいほど、車速Ｖが大きいほど、値１より大きくなる傾向に調整された負回転用のマップＭＵ１，ＭＵ２，ＭＵ３，ＭＵ４を用いて係数ｋ１，ｋ２，ｋ３，ｋ４を設定し、操舵角変化量ΔθＳに基本係数ｋ０と共に係数ｋ１，ｋ２，ｋ３，ｋ４を乗じてトウ角変化量Δθｔを計算し、これに基づいてトウ角θｔを計算して前輪２２のトウ角を調整することにより、旋回時に車体本体３０が旋回内側に傾斜したときに旋回性を抑制する方向に作用するジャイロモーメントによるアンダーステアの傾向を抑制することができる。これらの結果、より安定して旋回することができる。
【００４３】
また、実施例の三輪自動車２０によれば、ピッチ軸を回転軸として回転するようフライホイール６１を配置することにより、ジャイロ装置６０を車両に搭載したときに高い左右の対称性を得ることができる。
【００４４】
さらに、実施例の三輪自動車２０によれば、リーン制御として、重心に作用する重力Ｆｇと遠心力Ｆｃとの合成力の作用線がトレッドの中央になるようにリーンモータ５４を駆動制御するものとしたり、重心に作用する重力Ｆｇと遠心力Ｆｃとの合成力の作用線がトレッドの範囲内になるようにリーンモータ５４を駆動制御するものとしたりすることにより、より安定して旋回することができると共に、旋回外側への車両の横転を抑制することができる。
【００４５】
加えて、実施例の三輪自動車２０によれば、ジャイロ制御として、旋回などにより車両が横転する可能性があると判断したときに、旋回内側にジャイロモーメントが作用するようにジンバルモータ６５を駆動制御する横転抑制制御を実行することにより、車両の横転を抑制することができる。さらに、こうした横転抑制制御によりジンバルモータ６５が駆動していないときに、リーン装置５０により車体を傾斜させるときに車体を傾斜させる方向のジャイロモーメントを発生させるようにジンバルモータ６５を駆動制御するリーンアシスト制御を実行することにより、より迅速に旋回内側に車体を傾斜させることができると共にリーン装置５０のリーンモータ５４を小型のものとすることができる。
【００４６】
また、実施例の三輪自動車２０によれば、ジャイロ制御として、操舵角θＳが大きいほど、操舵角θＳの時間変化率（操舵角の回転角速度）が大きいほど、車速Ｖが大きいほど、大きなジャイロモーメントであって旋回内側に車体を傾斜させる方向のジャイロモーメントが発生するようにジンバルモータ６５を駆動制御するハンドル対応制御を実行することにより、より安定して旋回することができる。
【００４７】
実施例の三輪自動車２０では、操舵角θＳ、操舵角変化量ΔθＳ、フライホイール回転数Ｎｆ、車速Ｖに対して正回転用のマップＭＯ１，ＭＯ２，ＭＯ３，ＭＯ４や負回転用のマップＭＵ１，ＭＵ２，ＭＵ３，ＭＵ４を用いて係数ｋ１，ｋ２，ｋ３，ｋ４を設定し、操舵角変化量ΔθＳに基本係数ｋ０と共に係数ｋ１，ｋ２，ｋ３，ｋ４を乗じてトウ角変化量Δθｔを計算するものとしたが、操舵角θＳ、操舵角変化量ΔθＳ、フライホイール回転数Ｎｆ、車速Ｖのうち操舵角θＳを含むいずれか３つに対する係数を設定し、操舵角変化量ΔθＳに基本係数ｋ０と共に設定した３つの係数を乗じてトウ角変化量Δθｔを計算するものとしたり、操舵角θＳ、操舵角変化量ΔθＳ、フライホイール回転数Ｎｆ、車速Ｖのうち操舵角θＳを含むいずれか２つに対する係数を設定し、操舵角変化量ΔθＳに基本係数ｋ０と共に設定した２つの係数を乗じてトウ角変化量Δθｔを計算するものとしたり、操舵角θＳに対する係数を設定し、操舵角変化量ΔθＳに基本係数ｋ０と共に設定した係数を乗じてトウ角変化量Δθｔを計算するものとしたりしてもよい。
【００４８】
実施例の三輪自動車２０では、操舵角θＳ、操舵角変化量ΔθＳ、フライホイール回転数Ｎｆ、車速Ｖに対して正回転用のマップＭＯ１，ＭＯ２，ＭＯ３，ＭＯ４や負回転用のマップＭＵ１，ＭＵ２，ＭＵ３，ＭＵ４を用いて係数ｋ１，ｋ２，ｋ３，ｋ４を設定し、操舵角変化量ΔθＳに基本係数ｋ０と共に係数ｋ１，ｋ２，ｋ３，ｋ４を乗じてトウ角変化量Δθｔを計算するものとしたが、リーン装置による車体の傾斜角であるリーン角θＬ、リーン角θＬの変化量ΔθＬ、フライホイールの回転数Ｎｆに対して正回転用マップＭＯ５，ＭＯ６，ＭＯ３や負回転用のマップＭＵ５，ＭＵ６，ＭＵ３を用いて係数ｋ５，ｋ６，ｋ３を設定し、操舵角変化量ΔθＳに基本係数ｋ０と共に係数ｋ５，ｋ６，ｋ３を乗じてトウ角変化量Δθｔを計算するものとしてもよい。この場合、図１７の操舵制御ルーチンのステップＳ１３０をリーン角θＬ，リーン角変化量ΔθＬ，フライホイール回転数Ｎｆに対して正回転用のマップＭＯ５，ＭＯ６，ＭＯ３を適用してトウ角係数ｋ５，ｋ６，ｋ３を設定する処理とし、ステップＳ１４０をリーン角θＬ，リーン角変化量ΔθＬ，フライホイール回転数Ｎｆの絶対値に対して負回転用のマップＭＵ５，ＭＵ６，ＭＵ３を適用してトウ角係数ｋ５，ｋ６，ｋ３を設定する処理とし、ステップＳ１５０を操舵角変化量ΔθＳに基本係数ｋ０と設定したトウ角係数ｋ５，ｋ６，ｋ３を乗じてトウ角変化量Δθｔを計算する処理とすればよい。このときの正回転用マップＭＯ５，ＭＯ６の一例を図２０に示し、負回転用のマップＭＵ５，ＭＵ６の一例を図２１に示す。なお、正回転用のマップＭＯ３と負回転用のマップＭＵ３は図１８（ｃ），図１９（ｃ）のものを用いればよい。リーン角θＬは、前述したように、重力Ｆｇと遠心力ＦｃとによりｔａｎθＬ＝Ｆｃ／Ｆｇとして求めることができるから、操舵角θＳと車速Ｖとによって定めることができる。このため、トウ角係数ｋ５を設定するための正回転用マップＭＯ５（図２０（ａ））は、図１８（ａ）のマップＭＯ１と図１８（ｄ）のマップＭＯ４とを合体させたものとなり、トウ角係数ｋ５を設定するための負回転用マップＭＵ５（２１（ａ））は、図１９（ａ）のマップＭＵ１と図１９（ｄ）のマップＭＵ４とを合体させたものとなる。このように、リーン角θＬ、リーン角変化量ΔθＬ、フライホイールの回転数Ｎｆに対する３つの係数ｋ５，ｋ６，ｋ３を設定し、操舵角変化量ΔθＳに基本係数ｋ０と共に設定した３つの係数を乗じてトウ角変化量Δθｔを計算するものだけでなく、リーン角θＬ、リーン角変化量ΔθＬ、フライホイールの回転数Ｎｆのうちリーン角θＬかリーン角変化量ΔθＬを含むいずれか２つの係数を設定し、操舵角変化量ΔθＳに基本係数ｋ０と共に設定した２つの係数を乗じてトウ角変化量Δθｔを計算するものとしたり、リーン角θＬ、リーン角変化量ΔθＬのうちの一方の係数だけを設定し、操舵角変化量ΔθＳに基本係数ｋ０と共に設定した一方の係数を乗じてトウ角変化量Δθｔを計算するものとしたりしてもよい。
【００４９】
実施例の三輪自動車２０では、操舵角θＳ、操舵角変化量ΔθＳ、フライホイール回転数Ｎｆ、車速Ｖに基づいてトウ角変化量Δθｔを計算してトウ角θｔを得るものとしたが、ヨー軸周りに作用するジャイロモーメントの大きさを計算し、ジャイロモーメントの大きさに基づいてトウ角変化量Δθｔを計算してトウ角θｔを得るものとしてもよい。この場合、フライホイール６１が正回転しているときには、ジャイロモーメントの大きさが大きいほど小さなトウ角変化量Δθｔを計算し、フライホイール６１が負回転しているときには、ジャイロモーメントの大きさが大きいほど大きなトウ角変化量Δθｔを計算するものとすればよい。
【００５０】
実施例の三輪自動車２０では、フライホイール６１が正回転しているか負回転しているかを判定し、正回転用のマップＭＯ１，ＭＯ２，ＭＯ３，ＭＯ４と負回転用のマップＭＵ１，ＭＵ２，ＭＵ３，ＭＵ４とから一方を選択して係数ｋ１，ｋ２，ｋ３，ｋ４を設定するものとしたが、フライホイール６１を正回転しかしないように駆動する場合には、フライホイール６１が正回転しているか負回転しているかの判定を行なうことなく、正回転用のマップＭＯ１，ＭＯ２，ＭＯ３，ＭＯ４を用いて係数ｋ１，ｋ２，ｋ３，ｋ４を設定するものとしてもよいし、逆に、フライホイール６１を負回転しかしないように駆動する場合には、フライホイール６１が正回転しているか負回転しているかの判定を行なうことなく、負回転用のマップＭＵ１，ＭＵ２，ＭＵ３，ＭＵ４を用いて係数ｋ１，ｋ２，ｋ３，ｋ４を設定するものとしてもよい。
【００５１】
実施例の三輪自動車２０では、ステアバイワイヤ機構を有する操舵装置４０を備えるものとしたが、操舵角θＳに対してトウ角変化量Δθｔを変更することができるものであればよいから、例えば、可変ステアリングギヤレシオ機構を有する操舵装置を備えるものとしてもよい。
【００５２】
実施例では、本発明の実施形態として、操舵輪としての１つの前輪２２と、駆動輪としての２つの後輪２４Ｌ，２４Ｒと、を備える三輪自動車２０を用いて説明したが、図２２の変形例の四輪自動車２２０に示すように、操舵輪としての２つの前輪２２２Ｌ，２２２Ｒと、駆動輪としての２つの後輪２４Ｌ，２４Ｒと、を備えるものとしてもよい。この場合、後輪２４Ｌ，２４Ｒ側に取り付けられたリーン装置５０と同様なリーン装置２５０を前輪２２２Ｌ，２２２Ｒ側にも取り付け、リーン装置５０による車体の傾斜に同期してリーン装置２５０による車体の傾斜を行なえばよい。なお、自動車は三輪や四輪に限定されるものではなく五輪以上の自動車であっても構わない。
【００５３】
実施例の三輪自動車２０では、縦リンクユニット５１Ｌ，５１Ｒと横リンクユニット５１Ｕ，５１Ｄと中央縦部材５２とからなる機構（リーン機構）により車体を傾斜するときには、車輪２２，２４Ｌ，２４Ｒも傾斜するものとしたが、図２３の変形例の三輪自動車３２０に示すように、車輪２２，２４Ｌ，２４Ｒは傾斜せずに車体本体３３０だけが傾斜する機構としてもよい。
【００５４】
実施例の主要な要素と課題を解決するための手段の欄に記載した発明の主要な要素との対応関係について説明する。実施例では、縦リンクユニット５１Ｌ，５１Ｒと横リンクユニット５１Ｕ，５１Ｄと中央縦部材５２とからなる機構が「リーン機構」に相当し、リーンモータ５４が「リーン駆動手段」に相当し、リーン装置５０が「リーン装置」に相当し、フライホイール６１が「フライホイール」に相当し、三相コイルが取り付けられたステータケース６２が「第１回転駆動手段」に相当し、ジャイロ６３が「ジャイロ」に相当し、ジンバルモータ６５が「第２回転駆動手段」に相当し、ジャイロ装置６０が「ジャイロ装置」に相当し、操舵装置４０が「操舵装置」に相当する。
【００５５】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００５６】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００５７】
本発明は、自動車の製造産業などに利用可能である。
【符号の説明】
【００５８】
２０，３２０  三輪自動車、２２，２２２Ｌ，２２２Ｒ  前輪、２４Ｌ，２４Ｒ  後輪、２６Ｌ，２６Ｒ  モータ、３０，３３０  車体本体、３２  運転席、３６  支持部、４０  操舵装置、４２  ハンドル、５０，２５０  リーン装置、５１Ｌ，５１Ｒ  縦リンクユニット、５１Ｕ，５１Ｄ  横リンクユニット、５２  中央縦部材、５４  リーンモータ、５５  出力軸、６０  ジャイロ装置、６１  フライホイール、６２  ステータケース、６３  ジャイロ、６４  ジンバル支持部、６５  ジンバルモータ、６６  クラッチ、７０  バッテリ、８０  制御装置、８１  シフトポジションセンサ、８２  アクセルポジションセンサ、８３  ブレーキポジションセンサ、８４  車速センサ、８５Ｌ，８５Ｒ  車輪速センサ、８６  操舵角センサ、８７Ｌ，８７Ｒ  回転位置検出センサ、８８  車両総重量センサ、８９  勾配センサ、９０  リーン角センサ、９１  ジンバル角センサ、９２  フライホイール回転数センサ、９３  ロール角センサ、２２０  四輪自動車。
【図１】
2014069673.tif 000003
【図２】
2014069673.tif 000004
【図３】
2014069673.tif 000005
【図４】
2014069673.tif 000006
【図５】
2014069673.tif 000007
【図６】
2014069673.tif 000008
【図７】
2014069673.tif 000009
【図８】
2014069673.tif 000010
【図９】
2014069673.tif 000011
【図１０】
2014069673.tif 000012
【図１１】
2014069673.tif 000013
【図１２】
2014069673.tif 000014
【図１３】
2014069673.tif 000015
【図１４】
2014069673.tif 000016
【図１５】
2014069673.tif 000017
【図１６】
2014069673.tif 000018
【図１７】
2014069673.tif 000019
【図１８】
2014069673.tif 000020
【図１９】
2014069673.tif 000021
【図２０】
2014069673.tif 000022
【図２１】
2014069673.tif 000023
【図２２】
2014069673.tif 000024
【図２３】
2014069673.tif 000025